(57)【特許請求の範囲】
【請求項１】
映像信号供給手段から供給される第１のアスペクト比を有するビデオ画像を、前記第１のアスペクト比と異なる第２のアスペクト比を有する表示画面上に表示する機能と、
該表示画面上に、前記ビデオ画像と一緒に、文字や図形などのオンスクリーンディスプレイ画像を表示する機能と、
該オンスクリーンディスプレイ画像を前記ビデオ画像に多重して表示する部分については、前記オンスクリーンディスプレイ画像の下から前記ビデオ画像が透けて見えるように、これら画像の合成を行う機能とを有する第１の表示制御手段を備えた画像表示装置において、
前記ビデオ画像の第１のアスペクト比と、前記表示画面の第２のアスペクト比とが異なることによって、前記表示画面上に前記ビデオ画像が表示されない余白部が形成され、該余白部に前記オンスクリーンディスプレイ画像が表示される場合、
前記第１の表示制御手段が、前記余白部以外に表示される前記オンスクリーンディスプレイ画像については前記合成のための処理を施して、前記オンスクリーンディスプレイ画像の下から前記ビデオ画像が透けて見えるようにするのに対し、
前記余白部に表示される前記オンスクリーンディスプレイ画像については、前記合成のための処理を施さずに表示する機能を有するものであることを特徴とする画像表示装置。
【発明の詳細な説明】
【０００１】
【発明の属する技術分野】
本発明は画像表示装置に関し、より詳細には、ディスプレイ上に、テレビ画面やＶＴＲ画面などと一緒に、文字や図形などの画像を表示するオンスクリーンディスプレイ（以降、ＯＳＤと記す）機能を実現することのできる画像表示装置に関する。
【０００２】
【従来の技術】
従来、テレビ画面やＶＴＲ画面上などに重ねて、放送局を表す文字やプリセットＳＷなどの画像（ＯＳＤ画像）を表示する場合、該ＯＳＤ画像の表示位置において、テレビ画面などを形成する画像（ビデオ画像）の画素を前記ＯＳＤ画像の画素に置き換えていた。
そのため、前記ＯＳＤ画像の画素に置き換えられた部分については、ユーザーは前記ビデオ画像を見ることができなかった。
【０００３】
また、テレビ画面上などに前記ＯＳＤ画像を重ねて表示するにあたっては、上記のような単純な置き換えではなく、前記ビデオ画像の画素の色情報に対して係数α（０≦α≦１）を乗じ、前記ＯＳＤ画像の画素の色情報に対して係数β（＝１−α）を乗じて、これらの和をとることにより、前記ＯＳＤ画像の下から前記ビデオ画像が透けて見えるような表示を行えることが知られている。
【０００４】
このように、前記ＯＳＤ画像の下から前記ビデオ画像が透けて見えるような表示とすることによって、従来、前記ＯＳＤ画像によって塗り潰されていた部分が見えるようになり、ユーザーへ提供できる情報量を増やすことができる。
【０００５】
【発明が解決しようとする課題】
しかしながら、前記ＯＳＤ画像の下から前記ビデオ画像が透けて見えるような表示とすることにより、前記ＯＳＤ画像が見えにくくなる虞がある。特に、車両に搭載される画像表示装置（例えば、テレビ）の場合には、装備されるディスプレイ画面があまり大きいものではないため、その可能性は高い。
【０００６】
また、前記ビデオ画像を縮小し、縮小することによって生じた余白部分に、前記ＯＳＤ画像を表示するといった方法も提案されているが、これでは逆に前記ビデオ画像が見えにくくなってしまう。
【０００７】
本発明は上記課題に鑑みなされたものであって、ディスプレイ上に、テレビ画面やＶＴＲ画面などと一緒に、文字や図形などのＯＳＤ画像を表示する際に、テレビ画面などを見えにくくすることなく、前記ＯＳＤ画像を見やすく表示することのできる画像表示装置を提供することを目的としている。
【００１５】
【課題を解決するための手段及びその効果】
上記目的を達成するために本発明に係る画像表示装置（１）は、映像信号供給手段から供給される第１のアスペクト比を有するビデオ画像を、前記第１のアスペクト比と異なる第２のアスペクト比を有する表示画面上に表示する機能と、該表示画面上に、前記ビデオ画像と一緒に、文字や図形などのＯＳＤ画像を表示する機能と、該ＯＳＤ画像を前記ビデオ画像に多重して表示する部分については、前記ＯＳＤ画像の下から前記ビデオ画像が透けて見えるように、これら画像の合成を行う機能とを有する第１の表示制御手段を備えた画像表示装置において、前記ビデオ画像の第１のアスペクト比と、前記表示画面の第２のアスペクト比とが異なることによって、前記表示画面上に前記ビデオ画像が表示されない余白部が形成され、該余白部に前記ＯＳＤ画像が表示される場合、前記第１の表示制御手段が、前記余白部以外に表示される前記ＯＳＤ画像については前記合成のための処理を施して、前記ＯＳＤ画像の下から前記ビデオ画像が透けて見えるようにするのに対し、前記余白部に表示される前記ＯＳＤ画像については、前記合成のための処理を施さずに表示する機能を有するものであることを特徴としている。
【００１６】
また、本発明に係る画像表示装置（２）は、映像信号供給手段から供給される第１のアスペクト比を有するビデオ画像を、前記第１のアスペクト比と異なる第２のアスペクト比を有する表示画面上に表示する機能と、該表示画面上に、前記ビデオ画像と一緒に、文字や図形などのＯＳＤ画像を表示する機能と、該ＯＳＤ画像を前記ビデオ画像に多重して表示する部分については、前記ＯＳＤ画像の下から前記ビデオ画像が透けて見えるように、これら画像の合成を行う機能とを有する第１の表示制御手段を備えた画像表示装置において、前記ビデオ画像の第１のアスペクト比と、前記表示画面の第２のアスペクト比とが異なることによって、前記表示画面上に前記ビデオ画像が表示されない余白部が形成され、該余白部にＯＳＤ画像が表示される場合、前記第１の表示制御手段が、前記余白部に表示される前記ＯＳＤ画像を、前記ビデオ画像と重ねて表示されるＯＳＤ画像と同じ表示輝度で表示する機能を有するものであることを特徴としている。
【００１７】
第１のアスペクト比（例えば、３：４）を有する前記ビデオ画像を、前記第１のアスペクト比と異なる第２のアスペクト比（例えば、９：１６）を有する前記表示画面上の中央部に位置するように表示した場合、前記ビデオ画像の左右に何も表されない余白部が形成される。
例えば、後述する図４に示すように、アスペクト比３：４のビデオ画像Ｐ1は、 81(H)×144(W)mmの表示画面（アスペクト比９：１６）Ｅ上には 81(H)×108(W)mmの大きさで表示されることとなり、左右それぞれに 81(H)× 18(W)mmの余白部Ｆ1、Ｆ2が形成される。
【００１８】
このような余白部Ｆ1 、Ｆ2 が形成されている状態で、表示画面Ｅの上部にＯＳＤ画像Ｐ2 を表示すると、ＯＳＤ画像Ｐ2 については、ビデオ画像Ｐ１ と重なって表示される部分（領域Ｅ32）と、余白部Ｆ1 、Ｆ2 に表示される部分（領域Ｅ31、Ｅ33）とが形成されることとなる。
【００１９】
上記画像表示装置（１）によれば、前記ＯＳＤ画像を前記ビデオ画像に多重して表示する部分については、前記ＯＳＤ画像の下から前記ビデオ画像が透けて見えるように、これら画像の合成を行うようになっている。
すなわち、前記ＯＳＤ画像の下から前記ビデオ画像が透けて見えるように、これら画像のいずれの表示輝度も落として、これら画像の合成を行うようになっている。
【００２０】
また、前記余白部に表示する前記ＯＳＤ画像については、前記ビデオ画像と重なっておらず、前記ＯＳＤ画像の表示輝度を落とす必要がないため、そのままスルーで表示するようになっている。これにより、前記ＯＳＤ画像を見えやすくすることができる。
【００２１】
ところで、上記画像表示装置（１）では、表示輝度を落とす必要のないところでは、スルー表示することによって、前記ＯＳＤ画像をより見えやすくするようにしているが、前記ビデオ画像と重なっている部分と、重なっていない部分（前記余白部に表示されている部分）とでは、表示輝度に差があるため、ユーザーによっては見えにくくなる虞がある。
【００２２】
上記画像表示装置（２）によれば、前記余白部に表示する前記ＯＳＤ画像についても、前記ビデオ画像と重ねて表示されるＯＳＤ画像と同じ表示輝度で表示するようになっているため、上記問題を解決することができる。
【００２３】
また、本発明に係る画像表示装置（３）は、映像信号供給手段から供給されるビデオ画像と一緒に、文字や図形などのＯＳＤ画像を表示画面上に表示する機能と、前記ＯＳＤ画像を前記ビデオ画像に多重して表示する部分については、前記ＯＳＤ画像の下から前記ビデオ画像が透けて見えるように、これら画像の合成を行う機能とを有する第２の表示制御手段を備えた画像表示装置において、前記第２の表示制御手段が、前記ビデオ画像の受信状態に基づいて、前記合成の調整を行う機能を有するものであることを特徴としている。
【００２４】
また、本発明に係る画像表示装置（４）は、映像信号供給手段から供給されるビデオ画像と一緒に、文字や図形などのＯＳＤ画像を表示画面上に表示する機能と、前記ＯＳＤ画像を前記ビデオ画像に多重して表示する部分については、前記ＯＳＤ画像の下から前記ビデオ画像が透けて見えるように、これら画像の合成を行う機能とを有する第２の表示制御手段を備えた画像表示装置において、前記第２の表示制御手段が、前記ビデオ画像の受信状態に基づいて、前記ＯＳＤ画像の大きさの調整を行う機能を有するものであることを特徴としている。
【００２５】
テレビチューナなどからビデオ画像が供給される場合、該ビデオ画像の受信状態が低下し、表示画面上へ鮮明な画像を表示することができなくなり、前記表示画面上へ前記ビデオ画像を表示している価値が低くなることがある。特に、車両に搭載されている場合には、上記のようなケースが比較的多く発生する。
【００２６】
上記画像表示装置（３）によれば、前記ＯＳＤ画像を前記ビデオ画像に多重して表示する部分については、前記ＯＳＤ画像の下から前記ビデオ画像が透けて見えるように、これら画像の合成を行うようになっており、さらには、前記ビデオ画像の受信状態に基づいて、前記合成の調整を行うようになっている。
例えば、前記ビデオ画像の受信状態が低下し、前記表示画面上へ前記ビデオ画像を表示している価値が低くなった場合には、前記ＯＳＤ画像の表示輝度が前記ビデオ画像の表示輝度よりも高くなるように、前記合成の調整を行うようにする。これにより、前記ＯＳＤ画像を見えやすくすることができる。
【００２７】
また、上記画像表示装置（４）によれば、前記ＯＳＤ画像を前記ビデオ画像に多重して表示する部分については、前記ＯＳＤ画像の下から前記ビデオ画像が透けて見えるように、これら画像の合成を行うようになっており、さらには、前記ビデオ画像の受信状態に基づいて、前記ＯＳＤ画像の大きさの調整を行うようになっている。
例えば、前記ビデオ画像の受信状態が低下し、前記表示画面上へ前記ビデオ画像を表示している価値が低くなった場合には、前記ＯＳＤ画像が大きく表示されるように調整する。これにより、前記ＯＳＤ画像を見えやすくすることができる。
【００２８】
また、本発明に係る画像表示装置（５）は、映像信号供給手段から供給されるビデオ画像と一緒に、文字や図形などのＯＳＤ画像を表示画面上に表示する機能と、前記ＯＳＤ画像を前記ビデオ画像に多重して表示する部分については、前記ＯＳＤ画像の下から前記ビデオ画像が透けて見えるように、これら画像の合成を行う機能とを有する第２の表示制御手段を備えた、車両に搭載される画像表示装置において、前記第２の表示制御手段が、前記車両の動態に基づいて、前記合成の調整を行う機能を有するものであることを特徴としている。
【００２９】
また、本発明に係る画像表示装置（６）は、映像信号供給手段から供給されるビデオ画像と一緒に、文字や図形などのＯＳＤ画像を表示画面上に表示する機能と、前記ＯＳＤ画像を前記ビデオ画像に多重して表示する部分については、前記ＯＳＤ画像の下から前記ビデオ画像が透けて見えるように、これら画像の合成を行う機能とを有する第２の表示制御手段を備えた、車両に搭載される画像表示装置において、前記第２の表示制御手段が、前記車両の動態に基づいて、前記ＯＳＤ画像の大きさの調整を行う機能を有するものであることを特徴としている。
【００３０】
画像表示装置が車両に搭載されている場合、該車両の速度が速いとＯＳＤ画像が見えにくくなってしまう。特に、小さな文字で形成されている可能性の高いプリセットＳＷをしっかりと認識して、正しく操作することが非常に難しくなる虞がある。
【００３１】
上記画像表示装置（５）によれば、前記ＯＳＤ画像を前記ビデオ画像に多重して表示する部分については、前記ＯＳＤ画像の下から前記ビデオ画像が透けて見えるように、これら画像の合成を行うようになっており、さらには、前記車両の動態に基づいて、前記合成の調整を行うようになっている。
例えば、前記車両の速度が所定の第１の速度（例えば、４０km/h）以上になると、前記ＯＳＤ画像の表示輝度が前記ビデオ画像の表示輝度よりも高くなるように、前記合成の調整を行うようにする。これにより、前記ＯＳＤ画像を見えやすくすることができる。
【００３２】
また、上記画像表示装置（６）によれば、前記ＯＳＤ画像を前記ビデオ画像に多重して表示する部分については、前記ＯＳＤ画像の下から前記ビデオ画像が透けて見えるように、これら画像の合成を行うようになっており、さらには、前記車両の動態に基づいて、前記ＯＳＤ画像の大きさの調整を行うようになっている。
例えば、前記車両の速度が前記所定の第１の速度以上になると、前記ＯＳＤ画像が大きく表示されるように調整する。これにより、前記ＯＳＤ画像を見えやすくすることができる。
【００３３】
また、本発明に係る画像表示装置（７）は、映像信号供給手段から供給されるビデオ画像と一緒に、文字や図形などのＯＳＤ画像を表示画面上に表示する機能と、前記ＯＳＤ画像を前記ビデオ画像に多重して表示する部分については、前記ＯＳＤ画像の下から前記ビデオ画像が透けて見えるように、前記ＯＳＤ画像の合成係数をα（０≦α≦１）とし、前記ビデオ画像の合成係数をβ（＝１−α）として、これら画像の合成を行う機能とを有する第２の表示制御手段を備えた画像表示装置において、前記ＯＳＤ画像と多重して表示される部分の前記ビデオ画像が、同色、又は近似色だけで形成されている場合、前記第２の表示制御手段が、前記ＯＳＤ画像の合成係数αを、前記ビデオ画像の合成係数βよりも大きくして、前記合成を行うものであることを特徴としている。
【００３４】
また、本発明に係る画像表示装置（８）は、上記画像表示装置（７）において、前記ＯＳＤ画像と多重して表示される部分の前記ビデオ画像が、同色、又は近似色だけで形成されている場合、前記第２の表示制御手段が、前記ＯＳＤ画像の合成係数αを１とし、前記ビデオ画像の合成係数βを０として、前記合成を行うものであることを特徴としている。
【００３５】
ところで、ビデオ画像に真っ青な空などが映っており、その真っ青な空の部分にＯＳＤ画像を重ねて表示する場合、該ＯＳＤ画像によって前記ビデオ画像が見えにくくなったとしても別段問題を生じることはないものと思われる。
【００３６】
上記画像表示装置（７）によれば、前記ＯＳＤ画像を前記ビデオ画像に多重して表示する部分については、前記ＯＳＤ画像の下から前記ビデオ画像が透けて見えるように、前記ＯＳＤ画像の合成係数をα（０≦α≦１）とし、前記ビデオ画像の合成係数をβ（＝１−α）として、これら画像の合成を行うようになっている。
【００３７】
さらには、前記ＯＳＤ画像と多重して表示される部分の前記ビデオ画像が、同色、又は近似色だけで形成されている場合、前記ＯＳＤ画像の合成係数αを、前記ビデオ画像の合成係数βよりも大きくして、前記合成を行うようになっている。
【００３８】
従って、例えば、前記ビデオ画像に映っている真っ青な空に、前記ＯＳＤ画像を重ねて表示する場合には、該ＯＳＤ画像の合成係数αを、前記ビデオ画像の合成係数βよりも大きくして、前記合成が行われる。すなわち、前記ＯＳＤ画像の表示輝度が、前記ビデオ画像の表示輝度よりも高くなるように、前記ＯＳＤ画像が表示されるので、該ＯＳＤ画像を見えやすくすることができる。
【００３９】
また、上記画像表示装置（８）によれば、前記ＯＳＤ画像の合成係数αを１とし、前記ビデオ画像の合成係数βを０として、前記合成を行うので、前記ＯＳＤ画像を非常に見えやすくすることができる。
【００４０】
【発明の実施の形態】
以下、本発明に係る画像表示装置の実施の形態を図面に基づいて説明する。図１は、実施の形態（１）に係る画像表示装置の要部を概略的に示したブロック図である。なお、ここでは車両に搭載される画像表示装置について説明する。
【００４１】
図中１はビデオ画像（アスペクト比３：４）を形成するビデオ信号を供給するテレビチューナを示しており、テレビチューナ１はビデオ信号を同期分離回路２と、後述するスイッチ切換制御信号に基づき、液晶パネル５（アスペクト比９：１６）へ出力する信号を切り換えるための切換回路３の入力端子３ａへ送信するようになっている。
【００４２】
同期分離回路２はテレビチューナ１からのビデオ信号に基づき、垂直同期信号、及び水平同期信号を描画処理回路４へ送信するようになっており、また、描画処理回路４は同期分離回路２から送信されてくる前記垂直同期信号、及び前記水平同期信号に基づき、ＯＳＤ画像の表示開始タイミングに合わせて、ＯＳＤ信号を切換回路３の入力端子３ｂへ送信するようになっている。また、描画処理回路４は前記垂直同期信号、及び前記水平同期信号に基づき、液晶パネル５の画面走査位置に合わせて、スイッチ切換制御信号を切換回路３へ送信するようになっている。
【００４３】
また、描画処理回路４は、外部より車両に対する乗車状況を示した信号（例えば、運転席における乗員の有無や、助手席における乗員の有無を示した信号）を取り込むことができるようになっており、取り込んだ信号に基づいて、所定のタイミングで前記スイッチ切換制御信号を切換回路３へ送信したり、前記ＯＳＤ信号を切換回路３の入力端子３ｂへ送信したりするようになっている。
【００４４】
例えば、助手席には乗員がおらず、前部座席には運転者しかいない場合には、ビデオ画像を助手席側へ寄せて表示させると共に、前記ビデオ画像を寄せて表示させることによって形成された余白部にＯＳＤ画像を表示させるように、前記スイッチ切換制御信号を切換回路３へ送信し、また、前記助手席にも乗員がいる場合には、前記ビデオ画像を運転者側へ寄せて表示させると共に、前記ビデオ画像を寄せて表示させることによって形成された余白部にＯＳＤ画像を表示させるように、前記スイッチ切換制御信号を送信するようになっている。
【００４５】
すなわち、描画処理回路４は、助手席には乗員がおらず、前部座席には運転者しかいない場合であり、液晶パネル５の画面走査位置が領域Ｅ11（図２（ａ）参照）にある場合には、切換回路３において入力端子３ａと出力端子３ｃとを接続させるように、前記スイッチ切換制御信号を切換回路３へ送信し、他方、前記画面走査位置が領域Ｅ12にある場合には、入力端子３ｂと出力端子３ｃとを接続させるように、前記スイッチ切換制御信号を切換回路３へ送信するようになっている。
【００４６】
また、その逆に、助手席に乗員がいる場合であり、液晶パネル５の画面走査位置が領域Ｅ21（図２（ｂ）参照）にある場合には、切換回路３において入力端子３ｂと出力端子３ｃとを接続させるように、前記スイッチ切換制御信号を切換回路３へ送信し、他方、前記走査位置が領域Ｅ22にある場合には、入力端子３ａと出力端子３ｃとを接続させるように、前記スイッチ切換制御信号を切換回路３へ送信するようになっている。
【００４７】
換言すれば、描画処理回路４は、液晶パネル５の画面走査位置が余白部（領域Ｅ12、Ｅ21）にある期間のみ、切換回路３の入力端子３ｂと出力端子３ｃとを接続させるように、前記スイッチ切換制御信号を送信するようになっている。
【００４８】
図２（ａ）に、ビデオ画像を運転席側へ寄せて表示させ、前記ビデオ画像を寄せて表示させることによって形成された余白部にＯＳＤ画像を表示させた場合の画面表示の一例を示し、図２（ｂ）に、ビデオ画像を助手席側へ寄せて表示させ、前記ビデオ画像を寄せて表示させることによって形成された余白部にＯＳＤ画像を表示させた場合の画面表示の一例を示す。なお、乗車状況を示した信号については、シートベルトの着用状態を検知するシートベルト検知センサなどから送信される信号を取り込むようになっている。
【００４９】
上記実施の形態（１）に係る画像表示装置によれば、前記ビデオ画像を液晶パネル５の表示画面上の中央部に位置するように表示するのではなく、左右のいずれかへ寄せて表示し、前記ビデオ画像を寄せることによって形成される余白部に、前記ＯＳＤ画像を表示することができる。
【００５０】
すなわち、広くなった前記余白部に、前記ＯＳＤ画像を表示するため、該ＯＳＤ画像を見えやすくすることができる。また、前記ビデオ画像を寄せる側については、前記車両に対する乗車状況に基づいて決定されるようになっているので、ユーザーに対してより一層適したかたちで前記ＯＳＤ画像を表示することができる。
【００５１】
なお、別の実施の形態に係る画像表示装置では、前記車両の動態に関する情報を取り込むことができるようにし、例えば、前記車両が停止している場合には、助手席における乗員の有無に関係なく、前記ＯＳＤ画像が運転席側に表示されるように、前記ビデオ画像を助手席側に寄せて表示させるようにしても良い。
【００５２】
図３は、実施の形態（２）に係る画像表示装置の要部を概略的に示したブロック図である。但し、図１に示した画像表示装置と同様の構成部分については同符号を付し、ここではその説明を省略する。
【００５３】
ビデオ画像（アスペクト比３：４）を形成するビデオ信号を供給するテレビチューナ１はビデオ信号を同期分離回路２と、スイッチ切換制御信号に基づき、液晶パネル５（アスペクト比９：１６）へ出力する信号を切り換えるための切換回路１３の入力端子１３ａと、乗算器１５へ送信するようになっている。
【００５４】
同期分離回路２はテレビチューナ１からのビデオ信号に基づき、垂直同期信号、及び水平同期信号を描画処理回路１４へ送信するようになっており、また、乗算器１５はテレビチューナ１から送信されてきた前記ビデオ信号と合成係数ｋ1 （０≦ｋ1 ≦１）との乗算を行い、乗算した結果を加算器１７へ出力するようになっている。
【００５５】
描画処理回路１４は、同期分離回路２から送信されてくる前記垂直同期信号、及び前記水平同期信号に基づき、（液晶パネル５における表示画面の上部に表示する）ＯＳＤ画像の表示開始タイミングに合わせて、ＯＳＤ信号を切換回路１３の入力端子１３ｃと、乗算器１６へ送信し、また、前記垂直同期信号、及び前記水平同期信号に基づき、液晶パネル５の画面走査位置に合わせて、前記スイッチ切換制御信号を切換回路１３へ送信するようになっている。
【００５６】
乗算器１６は、描画処理回路１４から送信されてきた前記ＯＳＤ信号と合成係数ｋ2（＝１−ｋ1 ）との乗算を行い、乗算した結果を加算器１７へ出力するようになっている。加算器１７は、乗算器１５、１６それぞれから出力されてきた信号を合成した合成信号を切換回路１３の入力端子１３ｂへ送信するようになっている。
【００５７】
また、描画処理回路１４は、液晶パネル５の画面走査位置が領域Ｅ35（図４（ｃ）参照）にある場合には、切換回路１３において入力端子１３ａと出力端子１３ｄとを接続させるように、前記スイッチ切換制御信号を切換回路１３へ送信し、前記画面走査位置が領域Ｅ32にある場合には、入力端子１３ｂと出力端子１３ｄとを接続させるように、前記スイッチ切換制御信号を切換回路１３へ送信し、また、前記画面走査位置が領域Ｅ32、Ｅ35以外にある場合には、入力端子１３ｃと出力端子１３ｄとを接続させるように、前記スイッチ切換制御信号を切換回路１３へ送信するようになっている。
【００５８】
図４（ａ）は、表示画面Ｅの中央部にビデオ画像Ｐ1 を表示させた場合の画面表示の一例であり、図４（ｂ）は、表示画面Ｅの上部にＯＳＤ画像Ｐ2 を表示させた場合の画面表示の一例であり、また、図４（ｃ）は、ビデオ画像Ｐ1 とＯＳＤ画像Ｐ2 とを一緒に表示させた場合の画面表示の一例である。なお、図４（ｃ）に示した画面表示では、ビデオ画像Ｐ1 の上部とＯＳＤ画像Ｐ2 の中央部とが重なって表示されている。
【００５９】
上記実施の形態（２）に係る画像表示装置によれば、ＯＳＤ画像Ｐ2 をビデオ画像Ｐ1 に多重して表示する部分（領域Ｅ32）については、ＯＳＤ画像Ｐ2 の下からビデオ画像Ｐ1 が透けて見えるように、これら画像の合成を行うようになっている。
すなわち、ＯＳＤ画像Ｐ2 の下からビデオ画像Ｐ1 が透けて見えるように、これら画像のいずれの表示輝度も落として、これら画像の合成を行うようになっている（例えば、合成係数ｋ1 を１／２に設定する）。
【００６０】
また、余白部（領域Ｅ31、Ｅ33）に表示するＯＳＤ画像Ｐ2 については、ビデオ画像Ｐ1 と重なっておらず、ＯＳＤ画像Ｐ2 の表示輝度を落とす必要がないため、そのままスルーで表示するようになっている。これにより、ＯＳＤ画像Ｐ2 を見えやすくすることができる。
【００６１】
上記実施の形態（２）に係る画像表示装置では、表示輝度を落とす必要のないところでは、スルー表示することによって、前記ＯＳＤ画像をより見えやすくするようにしているが、前記ビデオ画像と重なっている部分と、重なっていない部分（前記余白部に表示されている部分）とでは、表示輝度に差があるため、ユーザーによっては見えにくくなる虞がある。
【００６２】
そこで、別の実施の形態に係る画像表示装置では、図５に示したように、乗算器１６で乗算された結果を加算器１７だけでなく、切換回路１３の入力端子１３ｃへも送信して（すなわち、入力端子１３ｃへも乗算処理の施されたＯＳＤ信号を送信して）、前記余白部（領域Ｅ31、Ｅ33）に表示する前記ＯＳＤ画像についても、前記ビデオ画像と重ねて表示されるＯＳＤ画像と同じ表示輝度で表示するようにしても良い。これにより、上記問題を解決することができる。なお、図５に示した画像表示装置は、図３に示した画像表示装置と同様の構成部分については同符号を付し、ここではその説明を省略する。
【００６３】
図６は、実施の形態（３）に係る画像表示装置の要部を概略的に示したブロック図である。但し、図３に示した画像表示装置と同様の構成部分については同符号を付し、ここではその説明を省略する。
【００６４】
ビデオ画像（アスペクト比３：４）を形成するビデオ信号を供給するテレビチューナ１はビデオ信号を同期分離回路２と、スイッチ切換制御信号に基づき、液晶パネル５（アスペクト比９：１６）へ出力する信号を切り換えるための切換回路１３の入力端子１３ａと、乗算器１５へ送信するようになっている。
【００６５】
同期分離回路２はテレビチューナ１からのビデオ信号に基づき、垂直同期信号、及び水平同期信号を描画処理回路２４へ送信するようになっており、また、乗算器１５はテレビチューナ１から送信されてきたビデオ信号と合成係数ｋ1 （０≦ｋ1 ≦１）との乗算を行い、乗算した結果を加算器１７へ出力するようになっている。
【００６６】
描画処理回路２４は同期分離回路２から送信されてくる前記垂直同期信号、及び前記水平同期信号に基づき、（液晶パネル５における表示画面の上部に表示する）ＯＳＤ画像の表示開始タイミングに合わせて、ＯＳＤ信号を切換回路１３の入力端子１３ｃと、乗算器１６へ送信し、また、前記垂直同期信号、及び前記水平同期信号に基づき、液晶パネル５の画面走査位置に合わせて、前記スイッチ切換信号を切換回路１３へ送信するようになっている。
【００６７】
乗算器１６は描画処理回路２４から送信されてきたＯＳＤ信号と合成係数ｋ2 （＝１−ｋ1 ）との乗算を行い、乗算した結果を加算器１７へ出力するようになっている。加算器１７は乗算器１５、１６それぞれから出力されてきた信号を合成した合成信号を切換回路１３の入力端子１３ｂへ送信するようになっている。
【００６８】
また、描画処理回路２４は、液晶パネル５の画面走査位置が領域Ｅ35（図４参照）にある場合には、切換回路１３において入力端子１３ａと出力端子１３ｄとを接続させるように、前記スイッチ切換制御信号を切換回路１３へ送信し、前記画面走査位置が領域Ｅ32にある場合には、入力端子１３ｂと出力端子１３ｄとを接続させるように、前記スイッチ切換制御信号を切換回路１３へ送信し、また、前記画面走査位置が領域Ｅ32、Ｅ35以外にある場合には、入力端子１３ｃと出力端子１３ｄとを接続させるように、前記スイッチ切換制御信号を切換回路１３へ送信するようになっている。
【００６９】
また、テレビチューナ１からは外部からビデオ画像を受信した際の電界強度信号が、合成係数変更手段２５へ送信されるようになっており、合成係数変更手段２５はテレビチューナ１から送信されてくる電界強度信号に基づいて、合成係数ｋ1 の値を変更し、変更した合成係数ｋ1 を乗算器１５、１６それぞれへ送信するようになっている。
【００７０】
例えば、合成係数変更手段２５は、前記電界強度信号に基づいて、ビデオ画像の受信状態が所定のレベル以上であると判断すれば、合成係数ｋ1 の変更は行わず（例えば、１／２のままとし）、他方、前記ビデオ画像の受信状態が前記所定のレベル未満であると判断すれば、合成係数ｋ1 を小さくする（すなわち、合成係数ｋ2 を大きくする）。なお、合成係数ｋ1 の変更については、受信状態に応じてリニアに変更するようにしても良い。
【００７１】
上記実施の形態（３）に係る画像表示装置によれば、前記ＯＳＤ画像を前記ビデオ画像に多重して表示する部分については、前記ＯＳＤ画像の下から前記ビデオ画像が透けて見えるように、これら画像の合成を行うようになっており、さらには、前記ビデオ画像の受信状態に基づいて、前記合成の調整を行うようになっている。
例えば、前記ビデオ画像の受信状態が低下し、表示画面上へ前記ビデオ画像を表示している価値が低くなった場合には、前記ＯＳＤ画像の表示輝度が前記ビデオ画像の表示輝度よりも高くなるように、前記合成の調整が行われる。これにより、前記ＯＳＤ画像を見えやすくすることができる。
【００７２】
また、別の実施の形態に係る画像表示装置では、図７に示したように、テレビチューナ１からの電界強度信号を、描画処理回路２４Ａへも送信されるようにし、描画処理回路２４Ａがテレビチューナ１から送信されてくる電界強度信号に基づいて、ＯＳＤ画像の大きさを調整するようにしても良い。例えば、前記電界強度信号に基づいて、ビデオ画像の受信状態が所定のレベル未満であると判断すれば、前記ＯＳＤ画像を大きくし、該ＯＳＤ画像を見えやすくする。なお、図７に示した画像表示装置は、図６に示した画像表示装置と同様の構成部分については同符号を付し、ここではその説明を省略する。また、大きさの調整については、受信状態に応じてリニアに調整するようにしても良い。
【００７３】
さらに、別の実施の形態に係る画像表示装置では、前記車両の動態に関する情報を取り込むことができるようにして、例えば、前記車両の速度が所定の速度以上である場合には、前記ＯＳＤ画像の表示輝度が前記ビデオ画像の表示輝度よりも高くなるように、合成係数ｋ1 を小さくしたり、前記ＯＳＤ画像が大きくなるようにしても良い。
【００７４】
図８は、実施の形態（４）に係る画像表示装置の要部を概略的に示したブロック図である。但し、図３に示した画像表示装置と同様の構成部分については同符号を付し、ここではその説明を省略する。
【００７５】
ビデオ画像（アスペクト比３：４）を形成するビデオ信号を供給するテレビチューナ１はビデオ信号を同期分離回路２と、スイッチ切換制御信号に基づき、液晶パネル５（アスペクト比９：１６）へ出力する信号を切り換えるための切換回路１３の入力端子１３ａと、乗算器１５と、画像パターン検出手段３５へ送信するようになっている。
【００７６】
同期分離回路２はテレビチューナ１からのビデオ信号に基づき、垂直同期信号、及び水平同期信号を描画処理回路３４へ送信するようになっており、また、乗算器１５はテレビチューナ１から送信されてきたビデオ信号と合成係数ｋ1 （０≦ｋ1 ≦１）との乗算を行い、乗算した結果を加算器１７へ出力するようになっている。
【００７７】
描画処理回路３４は同期分離回路２から送信されてくる前記垂直同期信号、及び前記水平同期信号に基づき、（液晶パネル５における表示画面の上部に表示する）ＯＳＤ画像の表示開始タイミングに合わせて、ＯＳＤ信号を切換回路１３の入力端子１３ｃと、乗算器１６へ送信し、また、前記垂直同期信号、及び前記水平同期信号に基づき、液晶パネル５の画面走査位置に合わせて、前記スイッチ切換制御信号を切換回路１３へ送信するようになっている。
【００７８】
乗算器１６は描画処理回路３４から送信されてきたＯＳＤ信号と合成係数ｋ2 （＝１−ｋ1 ）との乗算を行い、乗算した結果を加算器１７へ出力するようになっている。加算器１７は乗算器１５、１６それぞれから出力されてきた信号を合成した合成信号を切換回路１３の入力端子１３ｂへ送信するようになっている。
【００７９】
また、描画処理回路３４は、液晶パネル５の画面走査位置が領域Ｅ35（図４参照）にある場合には、切換回路１３において入力端子１３ａと出力端子１３ｄとを接続させるように、前記スイッチ切換制御信号を切換回路１３へ送信し、前記画面走査位置が領域Ｅ32にある場合には、入力端子１３ｂと出力端子１３ｄとを接続させるように、前記スイッチ切換制御信号を切換回路１３へ送信し、また、前記画面走査位置が領域Ｅ32、Ｅ35以外にある場合には、入力端子１３ｃと出力端子１３ｄとを接続させるように、前記スイッチ切換制御信号を切換回路１３へ送信するようになっている。
【００８０】
画像パターン検出手段３５は、前記ＯＳＤ画像を表示する領域Ｅ32でのビデオ画像の画像パターンを検出し、その検出結果に基づいて、合成係数ｋ1 の値を変更し、変更した合成係数ｋ1 を乗算器１５、１６それぞれへ送信するようになっている。
【００８１】
例えば、画像パターン検出手段３５は、領域Ｅ32（又は領域Ｅ32を含むその周辺領域）におけるビデオ画像が同色、又は近似色だけで形成されているか否かを検出し、領域Ｅ32における前記ビデオ画像が同色、又は近似色だけで形成されている場合には、合成係数ｋ2 を１とするために、合成係数ｋ1 を０とする。
【００８２】
上記実施の形態（４）に係る画像表示装置によれば、前記ＯＳＤ画像を前記ビデオ画像に多重して表示する部分については、前記ＯＳＤ画像の下から前記ビデオ画像が透けて見えるように、これら画像の合成を行うようになっている。
【００８３】
さらには、前記ＯＳＤ画像と多重して表示される部分の前記ビデオ画像が、同色、又は近似色だけで形成されている場合（例えば、真っ青な空や、海上である場合）、合成係数ｋ1 を０として、すなわち、合成係数ｋ2 を１として、前記ビデオ画像と前記ＯＳＤ画像の合成を行うようになっている。従って、前記ＯＳＤ画像を実質スルー表示しているのと同じとなるため、前記ＯＳＤ画像を非常に見えやすくすることができる。
【図面の簡単な説明】
【図１】本発明の実施の形態（１）に係る画像表示装置の要部を概略的に示したブロック図である。
【図２】（ａ）、（ｂ）は実施の形態（１）に係る画像表示装置における画面表示の一例を示した図である。
【図３】実施の形態（２）に係る画像表示装置の要部を概略的に示したブロック図である。
【図４】（ａ）は表示画面の中央部にビデオ画像を表示させた場合の画面表示の一例であり、（ｂ）は表示画面の上部にＯＳＤ画像を表示させた場合の画面表示の一例であり、（ｃ）は実施の形態（２）に係る画像表示装置における画面表示の一例を示した図である。
【図５】別の実施の形態に係る画像表示装置の要部を概略的に示したブロック図である。
【図６】実施の形態（３）に係る画像表示装置の要部を概略的に示したブロック図である。
【図７】別の実施の形態に係る画像表示装置の要部を概略的に示したブロック図である。
【図８】実施の形態（４）に係る画像表示装置の要部を概略的に示したブロック図である。
【符号の説明】
３、１３  切換回路
４、１４、２４、２４Ａ、３４  描画処理回路
１５、１６  乗算器
１７  加算器
２５  合成係数変更手段
３５  画像パターン検出手段
【図１】
0004064709.tif 000002
【図２】
0004064709.tif 000003
【図３】
0004064709.tif 000004
【図４】
0004064709.tif 000005
【図５】
0004064709.tif 000006
【図６】
0004064709.tif 000007
【図７】
0004064709.tif 000008
【図８】
0004064709.tif 000009